(57)【要約】【課題】本発明は、住宅等の建築物における開口部の窓サッシ廻り構造に係る防水テープに対する負荷を軽減する防水テープ負荷軽減構造の提供を目的とする。【構成】本発明は、サッシ枠本体２０におけるツバ部２１と、外壁下地３０と、を固設する際の接合中間部に詰め具５０を備えること特徴とする住宅等の建築物における開口部の窓サッシ枠廻り構造であり、ツバ部２１はサッシ枠本体２０を外壁下地３０に固設する際にビス等の留め具４０を設ける糊代であり、詰め具５０はサッシ枠水平／垂直傾斜調整機能を有しつつツバ部２１の端部から開口部外側に延出する延出部５１を備え、防水テープ６０がツバ部２１から詰め具５０の延出部５１を介して外壁下地３０までを覆い塞ぐように貼られることを特徴とする。【選択図】図１
2010229643.tif 000002
【特許請求の範囲】
【請求項１】
サッシ枠本体におけるツバ部と、外壁下地と、を固設する際の接合中間部に詰め具を備えること特徴とする住宅等の建築物における開口部の窓サッシ枠廻り構造であり、ツバ部はサッシ枠本体を外壁下地に固設する際にビス等の留め具を設ける糊代であり、詰め具はサッシ枠水平／垂直傾斜調整機能を有しつつツバ部の端部から開口部外側に延出する延出部を備え、防水テープがツバ部から詰め具の延出部を介して外壁下地までを覆い塞ぐように貼られることを特徴とする防水テープ負荷軽減構造。
【請求項２】
詰め具は、延出部にテーパー等の面取り部を備えることを特徴とする請求項１に記載の防水テープ負荷軽減構造。
【請求項３】
詰め具は、延出部と、ツバ部と、の防水テープ貼付面を略面一にする埋め込み部を備え、埋め込み部端部の入り隅部にツバ部端部が接することを特徴とする請求項１または２に記載の防水テープ負荷軽減構造。
【請求項４】
詰め具を接合中間部に備えた、サッシ枠本体におけるツバ部と、外壁下地と、を一連して覆い塞ぐ防水テープを、開口部周囲方向の少なくとも上部のサッシ枠に備えることを特徴とする請求項１〜３のいずれかに記載の防水テープ負荷軽減構造。
【請求項５】
詰め具を接合中間部に備えた、サッシ枠本体におけるツバ部と、外壁下地と、を一連して覆い塞ぐ防水テープを、開口部周囲方向の上部と、両側部と、のサッシ枠に備えることを特徴とする請求項１〜３のいずれかに記載の防水テープ負荷軽減構造。
【発明の詳細な説明】
【技術分野】
【０００１】
本発明は、住宅等の建築物における開口部の窓サッシ廻り構造に関し、特にサッシ枠本体を外壁下地に設ける際の、サッシ枠本体におけるツバ部と、外壁下地と、の接合中間部に詰め具を備える防水テープ負荷軽減構造に係る。
【背景技術】
【０００２】
従来、図９に示すように、サッシ枠本体２００の寸法ｗ１と、窓化粧枠４００の寸法ｗ２と、が関わる複雑な構造の室内側窓化粧枠４００を設けるサッシ枠廻り構造１００があった。
その際は図１０に示すように、サッシ枠本体２００の寸法ｗ１に適応するように、窓化粧枠４００の寸法ｗ２を切断加工して施工していた。
【０００３】
窓化粧枠４００を加工せずに住宅等の建築物における開口部に設けることが望まれていたため、図１１に示すように、サッシ枠廻り構造１００におけるサッシ枠本体２００の寸法ｗ１を調整材５００にて調整し施工する場合もあった。
しかし、調整材５００を備えた場合、外壁下地３００の外側面と、サッシ枠本体２００におけるツバ部２１０と、の段差ｄが大きくなり、防水テープ６００を貼付した際には、雨水や振動等による負荷が防水テープ６００に集中し防水テープ６００の劣化を促進し、長期的に防水テープ６００の性能を維持できない可能性が考えられた。
【先行技術文献】
【特許文献】
【０００４】
【特許文献１】特開平９−３０３０４４号公報
【発明の概要】
【発明が解決しようとする課題】
【０００５】
本発明は、住宅等の建築物における開口部の窓サッシ廻り構造に係る防水テープに対する負荷を軽減する防水テープ負荷軽減構造の提供を目的とする。
【課題を解決するための手段】
【０００６】
本発明に係る防水テープ負荷軽減構造は、サッシ枠本体におけるツバ部と、外壁下地と、を固設する際の接合中間部に詰め具を備えること特徴とする住宅等の建築物における開口部の窓サッシ枠廻り構造であり、
ツバ部は、サッシ枠本体を外壁下地に固設する際にビス等の留め具を設ける糊代であり、
詰め具は、サッシ枠水平／垂直傾斜調整機能を有しつつツバ部の端部から開口部外側に延出する延出部を備え、
防水テープがツバ部から詰め具の延出部を介して外壁下地までを覆い塞ぐように貼られることを特徴とする。
【０００７】
本発明に係る防水テープ負荷軽減構造は、第一に従来技術における、防水テープに対して負荷となる外壁下地と、調整具を介したツバ部と、の防水テープ貼付面段差を軽減することにより、防水テープに対する負荷を軽減する防水テープ負荷軽減構造である。
【０００８】
サッシ枠水平／垂直傾斜調整機能を有する詰め具が、ツバ部の端部から開口部外側に延出する延出部を備えることにより、外壁下地と、ツバ部と、の防水テープ貼付面段差の中間に延出部防水テープ貼付面を設けることができる。
延出部の延出距離は、防水テープに対する負荷を軽減することができる程度の距離がよい。
【０００９】
詰め具は、延出部にテーパー等の面取り部を備えることにより、外壁下地と、詰め具と、の防水テープ貼付面段差を断続的ではなく連続的なスロープ調にし、防水テープ貼付面段差が要因である防水テープに対する負荷を軽減する防水テープ負荷軽減構造にするのもよい。
【００１０】
詰め具は、延出部と、ツバ部と、の防水テープ貼付面を略面一にする埋め込み部を備え、埋め込み部端部の入り隅部にツバ部端部が接することにより、防水テープ貼付面段差が要因である防水テープに対する負荷を軽減する防水テープ負荷軽減構造にするのもよい。
【００１１】
詰め具を接合中間部に備えた、サッシ枠本体におけるツバ部と、外壁下地と、を一連して覆い塞ぐ防水テープを、開口部周囲方向の少なくとも上部のサッシ枠に備えることがよく、より強固にするため防水テープを開口部周囲方向の上部と、両側部と、のサッシ枠に備えることがよい。
【００１２】
詰め具は、現場施工時に、サッシ枠本体におけるツバ部と、外壁下地と、を固設する際の接合中間部に備えるのがよい。
また、設計段階にて詰め具を想定し、ツバ部に詰め具を備えたサッシ枠本体を、あらかじめ工場で製作し施工現場に搬送し施工するのもよい。
【発明の効果】
【００１３】
本発明は、サッシ枠本体におけるツバ部と、外壁下地と、を固設する際の接合中間部に、サッシ枠水平／垂直傾斜調整機能を有しつつツバ部の端部から開口部外側に延出する延出部を備える詰め具を備え、防水テープがツバ部から詰め具の延出部を介して外壁下地までを覆い塞ぐように貼られることにより、ツバ部と、外壁下地と、の防水テープ貼付面段差の中間に延出部防水テープ貼付面を設けることができ、防水テープ貼付面段差を複数に分割した上で、防水テープを貼ることができる。
防水テープ貼付面段差を複数に分割して段差を連続的に軽減することにより、防水テープに対する負荷を軽減し、住宅等の建築物における開口部の窓サッシ枠廻り構造に貼る防水テープの性能を長期的に維持し続けることができる。
【００１４】
詰め具は、延出部にテーパー等の面取り部を備えることにより、外壁下地と、詰め具と、の防水テープ貼付面段差を断続的ではなく連続的なスロープ調にすることができ、防水テープに対する負荷をより軽減し、住宅等の建築物における開口部の窓サッシ枠廻り構造に貼る防水テープの性能を長期的に維持し続けることができる。
【００１５】
詰め具は、延出部と、ツバ部と、の防水テープ貼付面を略面一にする埋め込み部を備え、埋め込み部端部の入り隅部にツバ部端部が接することにより、防水テープに対する負荷をより軽減し、住宅等の建築物における開口部の窓サッシ枠廻り構造に貼る防水テープの性能を長期的に維持し続けることができる。
【００１６】
詰め具を接合中間部に備えた、ツバ部と、外壁下地と、を一連して覆い塞ぐ防水テープを、開口部周囲方向の少なくとも上部のサッシ枠に備えることにより、防水テープ負荷軽減構造をより強固にすることができる。
また、防水テープを、開口部周囲方向の上部と、両側部と、のサッシ枠に備えることにより、防水テープ負荷軽減構造をより強固にするのもよい。
【図面の簡単な説明】
【００１７】
【図１】実施例１における、防水テープ負荷軽減構造の部分拡大分離断面図。
【図２】実施例１における、防水テープ負荷軽減構造の部分拡大断面図。
【図３】実施例２における、防水テープ負荷軽減構造の部分拡大分離断面図。
【図４】実施例２における、防水テープ負荷軽減構造の部分拡大断面図。
【図５】実施例３における、防水テープ負荷軽減構造の部分拡大分離断面図。
【図６】実施例３における、防水テープ負荷軽減構造の部分拡大断面図。
【図７】実施例４における、防水テープ負荷軽減構造の部分拡大分離断面図。
【図８】実施例４における、防水テープ負荷軽減構造の部分拡大断面図。
【図９】従来のサッシ枠本体を設ける住宅等の建築物の開口部構造断面図。
【図１０】従来のサッシ枠本体を設ける住宅等の建築物の開口部構造断面図。
【図１１】従来のサッシ枠本体を設ける住宅等の建築物の開口部構造断面図。
【発明を実施するための形態】
【００１８】
本発明に係る、住宅等の建築物における開口部の防水テープ負荷軽減構造を、好ましく実施するための形態例を、以下図面に基いて詳細に説明する。
【実施例１】
【００１９】
図１に防水テープ負荷軽減構造の部分拡大分離断面図を示すように、本発明に係る防水テープ負荷軽減構造１０の実施例１は、サッシ枠本体２０におけるツバ部２１と、外壁下地３０と、を固設する際の接合中間部に詰め具５０を備える。
ツバ部２１は、サッシ枠本体２０を外壁下地３０に固設する際にビス等の留め具４０を設ける糊代である。
詰め具５０は、サッシ枠水平／垂直傾斜調整機能を有しつつ、ツバ部２１の端部２２から開口部外側に延出する延出部５１を備える。
防水テープ６０は、ツバ部２１から詰め具５０の延出部５１を介して外壁下地３０までを覆い塞ぐように貼られる。
延出部５１の延出距離Ｗは、防水テープ６０に対する負荷を軽減することができる程度の距離がよい。
【００２０】
図２に防水テープ負荷軽減構造の部分拡大断面図を示すように、本発明に係る防水テープ負荷軽減構造１０は、サッシ枠水平／垂直傾斜調整機能を有する詰め具５０が、サッシ枠本体２０におけるツバ部２１の端部２２から開口部外側に延出する延出部５１を備えることにより、外壁下地３０と、ツバ部２１と、の防水テープ貼付面段差の中間に延出部防水テープ貼付面５４を設けることができる。
【００２１】
本発明に係る防水テープ負荷軽減構造は、サッシ枠本体２０におけるツバ部２１と、外壁下地３０と、を固設する際の接合中間部に、延出部５１を備える詰め具５０を備え、防水テープ貼付面段差を複数に分割して段差を連続的に軽減することにより、防水テープ６０に対する負荷を軽減し、住宅等の建築物における開口部の窓サッシ枠廻り構造に貼る防水テープ６０の性能を長期的に維持し続けることができる。
【実施例２】
【００２２】
図３に防水テープ負荷軽減構造の部分拡大分離断面図を示すように、本発明に係る防水テープ負荷軽減構造１０の実施例２は、詰め具５０が延出部５１にテーパー等の面取り部５２を備える。
面取り部５２は、外壁下地３０と、詰め具５０と、の防水テープ貼付面段差が要因である防水テープ６０に対する負荷を軽減することを目的とし、面取り部５２自体が延出部防水テープ貼付面５４となる。
図４に防水テープ負荷軽減構造の部分拡大断面図を示すように、本発明に係る防水テープ負荷軽減構造１０は、詰め具５０が延出部５１に面取り部５２を備えることにより、外壁下地３０と、詰め具５０と、の防水テープ貼付面段差を断続的ではなく連続的なスロープ調にすることができ、防水テープ６０に対する負荷をより軽減し、住宅等の建築物における開口部の窓サッシ枠廻り構造に貼る防水テープ６０の性能を長期的に維持し続けることができる。
【実施例３】
【００２３】
図５に防水テープ負荷軽減構造の部分拡大分離断面図を示すように、本発明に係る防水テープ負荷軽減構造１０の実施例３は、詰め具５０が延出部５１と、ツバ部２１と、の防水テープ貼付面を略面一にする埋め込み部５３を備え、埋め込み部５３端部の入り隅部５５にツバ部２１の端部２２が接する。
埋め込み部５３は、延出部５１と、ツバ部２１と、の防水テープ貼付面を略面一にすることにより、防水テープ貼付面段差が要因である防水テープ６０に対する負荷を軽減することを目的としている。
図６に防水テープ負荷軽減構造の部分拡大断面図を示すように、本発明に係る防水テープ負荷軽減構造１０は、詰め具５０が延出部５１と、ツバ部２１と、の防水テープ貼付面を略面地にする埋め込み部５３を備え、埋め込み部５３端部の入り隅部５５にツバ部２１の端部２２が接することにより、防水テープ６０に対する負荷をより軽減し、住宅等の建築物における開口部の窓サッシ枠廻り構造に貼る防水テープ６０の性能を長期的に維持し続けることができる。
【実施例４】
【００２４】
図７に防水テープ負荷軽減構造の部分拡大分離断面図を示し、図８に防水テープ負荷軽減構造の部分拡大断面図を示すように、本発明に係る防水テープ負荷軽減構造１０の実施例４は、詰め具５０が実施例２及び実施例３に示した、面取り部５２と、埋め込み部５３と、入り隅部５５と、を備える。
詰め具５０が面取り部５２と、埋め込み部５３と、入り隅部５５と、を備えることにより、防水テープ６０に対する負荷をより軽減し、住宅等の建築物における開口部の窓サッシ枠廻り構造に貼る防水テープ６０の性能を長期的に維持し続けることができる。
【００２５】
図示しないが、詰め具を接合中間部に備えたサッシ枠本体におけるツバ部と、外壁下地と、を一連して覆い塞ぐ防水テープを、開口部周囲方向の少なくとも上部のサッシ枠に備えることがよく、より強固にするため防水テープを開口部周囲方向の上部と、両側部と、のサッシ枠に備えることがよい。
【符号の説明】
【００２６】
１０      防水テープ負荷軽減構造
２０      サッシ枠本体
２１      ツバ部
２２      端部
３０      外壁下地
４０      留め具
５０      詰め具
５１      延出部
５２      面取り部
５３      埋め込み部
５４      延出部防水テープ貼付面
５５      入り隅部
Ｗ        延出距離
６０      防水テープ
【図１】
2010229643.tif 000003
【図２】
2010229643.tif 000004
【図３】
2010229643.tif 000005
【図４】
2010229643.tif 000006
【図５】
2010229643.tif 000007
【図６】
2010229643.tif 000008
【図７】
2010229643.tif 000009
【図８】
2010229643.tif 000010
【図９】
2010229643.tif 000011
【図１０】
2010229643.tif 000012
【図１１】
2010229643.tif 000013